(57)【要約】【課題】ＨＩＤランプが交換されたことを確実に検出でき使い勝手を高める上で有利なプロジェクタを提供する。【解決手段】ＨＩＤランプ１２の外球１２０４には、その外球１２０４から外方に出射される光によって読み取り可能に形成されＨＩＤランプ１２に関わるランプ情報を形成するコード部３４が設けられている。読み取り部４２は、前記ランプ情報を読み取り該ランプ情報を制御部２０に供給する。制御部２０は、ランプ装着部１４および制御部２０に対する電源の供給が停止された状態から、ランプ装着部１４および制御部２０に電源が供給されると、読み取り部４２から供給されたランプ情報と、ランプ交換検出メモリ６０に格納されているランプ情報とに基づいてＨＩＤランプ１２の交換がなされたか否かを判別する。【選択図】図１
2008046499.tif 000002
【特許請求の範囲】
【請求項１】
外球を有する高輝度放電ランプと、
前記高輝度放電ランプが着脱可能に装着されるランプ装着部と、
前記高輝度放電ランプへの電源供給を制御する制御部と、
を有するプロジェクタであって、
前記外球に設けられ該外球から外方に出射される光によって読み取り可能に形成され前記高輝度放電ランプに関わるランプ情報を形成するコード部と、
前記ランプ情報を読み取り該ランプ情報を前記制御部に供給する読み取り部と、
前記制御部に供給された前記ランプ情報が格納される記憶部とを含み、
前記制御部は、前記ランプ装着部および前記制御部への電源の供給が停止された状態から、前記ランプ装着部および前記制御部に電源が供給されると、前記読み取り部から供給された前記ランプ情報と、前記記憶部に格納されている前記ランプ情報とに基づいて前記高輝度放電ランプの交換がなされたか否かを判別する、
ことを特徴とするプロジェクタ。
【請求項２】
前記記憶部は前記制御部に対する電源供給が停止された状態で前記ランプ情報を保持するように構成されている、
ことを特徴とする請求項１記載のプロジェクタ。
【請求項３】
前記コード部は、前記外球を通過して外方に出射される光を透過する第１部分と、前記光を透過しない第２部分との組み合わせによって前記ランプ情報を形成する、
ことを特徴とする請求項１記載のプロジェクタ。
【請求項４】
前記外球の外面に光を透過しない材料で形成されたフィルム体が貼付され、
前記フィルム体は、開口で形成され光が通過する光通過部分と、前記開口部分を除く部分で形成され光が透過しない光非通過部分とを有し、
前記第１部分は前記光通過部分で形成され、
前記第２部分は前記光非通過部分で形成されている、
ことを特徴とする請求項３記載のプロジェクタ。
【請求項５】
前記外球は前記ランプ装着部を介して電源が供給されることで点灯する発光管を収容し、
前記外球の内面には、前記発光管で発光された光を反射して所定方向に導く反射膜が形成され、
前記コード部は前記反射膜に臨む前記外球の外面の箇所に設けられ、
前記発光管で発光された光の一部は前記反射膜を透過して前記コード部に導かれる、
ことを特徴とする請求項１記載のプロジェクタ。
【請求項６】
前記制御部は前記高輝度放電ランプが点灯している累積時間であるランプ使用時間を計測する計測部を有し、
前記制御部は、前記高輝度放電ランプの交換がなされたと判別した際に、前記計測部によるランプ使用時間をリセットするように構成されている、
ことを特徴とする請求項１記載のプロジェクタ。
【請求項７】
前記ランプ情報は前記高輝度発光ランプが工場で製造された時期あるいは前記工場から出荷された時期を示す情報である、
ことを特徴とする請求項１記載のプロジェクタ。
【請求項８】
前記ランプ情報は前記高輝度発光ランプが工場で製造された時期あるいは前記工場から出荷された時期を示す情報であり、前記時期は年月日、あるいは、年月である、
ことを特徴とする請求項１記載のプロジェクタ。
【請求項９】
前記ランプ情報は前記高輝度発光ランプの製造番号を含む、
ことを特徴とする請求項１記載のプロジェクタ。
【請求項１０】
前記ランプ装着部に前記高輝度放電ランプを点灯させるための電源を供給するランプ用電源部と、
前記制御部に該制御部を動作させるための電源を供給する制御部用電源部とが設けられ、
前記制御部は前記ランプ用電源部のオン、オフを制御する、
ことを特徴とする請求項１記載のプロジェクタ。
【請求項１１】
前記制御部を介して供給される画像情報に基づいて画像を形成する画像形成部を有し、
前記高輝度放電ランプから出射された光が前記画像形成部を介してスクリーンに照射されることで前記画像が前記スクリーン上に投射されるように構成され、
前記制御部は前記高輝度放電ランプが点灯している累積時間であるランプ使用時間を計測する計測部を有し、
前記制御部は、前記高輝度放電ランプの交換がなされたと判別した際に、前記計測部によるランプ使用時間をリセットするように構成され、
前記制御部は、前記計測部で計測された前記ランプ使用時間が予め定められた交換時間に到達したならば、ランプの交換を使用者に促す警告動作を行う、
ことを特徴とする請求項１記載のプロジェクタ。
【請求項１２】
前記警告動作は、前記警告情報を前記画像情報として前記画像形成部に供給することである、
ことを特徴とする請求項１１記載のプロジェクタ。
【請求項１３】
高輝度放電ランプと、
前記高輝度放電ランプが着脱可能に装着されるランプ装着部と、
前記高輝度放電ランプへの電源供給を制御する制御部と、
を有するプロジェクタであって、
前記ランプ装着部は、前記高輝度放電ランプを収容するランプ用ハウジングの内部に設けられ、
前記ハウジングには、前記ランプ装着部に前記高輝度放電ランプが装着されると第１の位置となり、前記ランプ装着部から前記高輝度放電ランプが外されると前記第１の位置と異なる第２の位置となる可動部材が設けられ、
前記ハウジングの近傍の箇所に、前記可動部材が前記第２の位置から前記第１の位置に移動することにより一定角度で回転される回転板が設けられ、
前記回転板の位相を示す位相情報を検出する検出部が設けられ、
前記制御部によって前記位相情報が格納される記憶部とを含み、
前記ランプ装着部および前記制御部への電源の供給が停止された状態から、前記ランプ装着部および前記制御部に電源が供給されると、前記制御部は、前記記憶部に格納されている前記位相の情報と前記検出部の検出結果とに基づいて前記高輝度放電ランプの交換がなされたか否かを判別する、
ことを特徴とするプロジェクタ。
【請求項１４】
前記記憶部は前記制御部に対する電源供給が停止された状態で前記位相情報を保持するように構成されている、
ことを特徴とする請求項１３記載のプロジェクタ。
【請求項１５】
前記可動部材は、前記高輝度放電ランプが前記ランプ装着部に挿脱される方向に沿って移動可能に支持されたロッドであり、
前記第１の位置は、前記ロッドが前記ハウジングから突出した位置であり、
前記第２の位置は、前記ロッドが前記第１の位置よりも前記ランプ装着部側に近づいた位置である、
ことを特徴とする請求項１３記載のプロジェクタ。
【請求項１６】
前記制御部は前記高輝度放電ランプが点灯している累積時間であるランプ使用時間を計測する計測部を有し、
前記制御部は、前記高輝度放電ランプの交換がなされたと判別した際に、前記計測部によるランプ使用時間をリセットするように構成されている、
ことを特徴とする請求項１３記載のプロジェクタ。
【請求項１７】
前記ランプ装着部に前記高輝度放電ランプを点灯させるための電源を供給するランプ用電源部と、
前記制御部に該制御部を動作させるための電源を供給する制御部用電源部とが設けられ、
前記制御部は前記ランプ用電源部のオン、オフを制御する、
ことを特徴とする請求項１３記載のプロジェクタ。
【請求項１８】
前記制御部を介して供給される画像情報に基づいて画像を形成する画像形成部を有し、
前記高輝度放電ランプから出射された光が前記画像形成部を介してスクリーンに照射されることで前記画像が前記スクリーン上に投射されるように構成され、
前記制御部は前記高輝度放電ランプが点灯している累積時間であるランプ使用時間を計測する計測部を有し、
前記制御部は、前記高輝度放電ランプの交換がなされたと判別した際に、前記計測部によるランプ使用時間をリセットするように構成され、
前記制御部は、前記計測部で計測された前記ランプ使用時間が予め定められた交換時間に到達したならば、ランプの交換を使用者に促す警告動作を行う、
ことを特徴とする請求項１３記載のプロジェクタ。
【請求項１９】
前記警告動作は、前記警告情報を前記画像情報として前記画像形成部に供給することである、
ことを特徴とする請求項１８記載のプロジェクタ。
【発明の詳細な説明】
【技術分野】
【０００１】
本発明は、プロジェクタに関する。
【背景技術】
【０００２】
画像をスクリーンなどに投射するプロジェクタは、メタルハライドランプ等の高輝度放電ランプ（High Intensity Discharge lamps、以下ＨＩＤランプという）と、ＨＩＤランプを安定に点灯し制御するランプ用電源部、ＨＩＤランプの前方に順に配置されたカラー液晶パネル、ダイアフラム（絞り）、集光レンズ、ランプ用電源部を制御する制御部などを備えている。
ＨＩＤランプが点灯されることによりＨＩＤランプから出射される光はカラー液晶パネルを照射し、このカラー液晶パネルの三原色からなる画像はダイアフラム及び集光レンズを介してスクリーンに投影され、カラー画像がスクリーン上に映し出されるようになっている（特許文献１参照）。
ところで、ＨＩＤランプの寿命時間は、その種類によっても異なるが、例えば、２０００時間乃至８０００時間程度となっている。
そこで、従来から、ＨＩＤランプの使用時間を計測するタイマーを設け、そのタイマーによって計測された使用時間が寿命時間に近づいたならば、ＨＩＤランプの交換を促す警告表示を前記カラー液晶パネルを用いてスクリーンに表示させることがなされている。
【特許文献１】特開平１０−１８８８９６号公報
【発明の開示】
【発明が解決しようとする課題】
【０００３】
ところで、ＨＩＤランプの交換を行った場合には、前記タイマーによる使用時間の計測動作をリセットする必要がある。このようなタイマーのリセット操作は、例えば、プロジェクタを遠隔操作するリモコンのキーを特定の順番で操作してサービスモードとして行うなどの煩雑な操作が必要であり、ＨＩＤランプの交換を行った後でリセット操作をうっかり忘れてしまうといったことがしばしば生じている。
特にＨＩＤランプの交換に際しては、ランプ用電源部をオフすることは無論のこと、制御部に電源を供給する制御部用電源部もオフして行う必要があるため、ＨＩＤランプの交換を電気的に検出して前記リセット動作を自動的に行うといったことは困難であった。
本発明は、このような事情に鑑みなされたものであり、その目的は、ＨＩＤランプが交換されたことを確実に検出でき使い勝手を高める上で有利なプロジェクタを提供することにある。
【課題を解決するための手段】
【０００４】
上記目的を達成するために本発明は、外球を有する高輝度放電ランプと、前記高輝度放電ランプが着脱可能に装着されるランプ装着部と、前記高輝度放電ランプへの電源供給を制御する制御部とを有するプロジェクタであって、前記外球に設けられ該外球から外方に出射される光によって読み取り可能に形成され前記高輝度放電ランプに関わるランプ情報を形成するコード部と、前記ランプ情報を読み取り該ランプ情報を前記制御部に供給する読み取り部と、前記制御部に供給された前記ランプ情報が格納される記憶部とを含み、前記制御部は、前記ランプ装着部および前記制御部への電源の供給が停止された状態から、前記ランプ装着部および前記制御部に電源が供給されると、前記読み取り部から供給された前記ランプ情報と、前記記憶部に格納されている前記ランプ情報とに基づいて前記高輝度放電ランプの交換がなされたか否かを判別することを特徴とする。
また本発明は、高輝度放電ランプと、前記高輝度放電ランプが着脱可能に装着されるランプ装着部と、前記高輝度放電ランプへの電源供給を制御する制御部とを有するプロジェクタであって、前記ランプ装着部は、前記高輝度放電ランプを収容するランプ用ハウジングの内部に設けられ、前記ハウジングには、前記ランプ装着部に前記高輝度放電ランプが装着されると第１の位置となり、前記ランプ装着部から前記高輝度放電ランプが外されると前記第１の位置と異なる第２の位置となる可動部材が設けられ、前記ハウジングの近傍の箇所に、前記可動部材が前記第２の位置から前記第１の位置に移動することにより一定角度で回転される回転板が設けられ、前記回転板の位相を示す位相情報を検出する検出部が設けられ、前記制御部によって前記位相情報が格納される記憶部とを含み、前記ランプ装着部および前記制御部への電源の供給が停止された状態から、前記ランプ装着部および前記制御部に電源が供給されると、前記制御部は、前記記憶部に格納されている前記位相の情報と前記検出部の検出結果とに基づいて前記高輝度放電ランプの交換がなされたか否かを判別することを特徴とする。
【発明の効果】
【０００５】
本発明のプロジェクタによれば、制御部は、ランプ装着部および制御部に対する電源の供給が停止された状態から、ランプ装着部および制御部に電源が供給されると、読み取り部から供給されたランプ情報と、ランプ交換検出メモリに格納されているランプ情報とに基づいて高輝度放電ランプの交換がなされたか否かを判別することができる。
また、制御部は、ランプ装着部および制御部に対する電源の供給が停止された状態から、ランプ装着部および制御部に電源が供給されると、検出部から供給された位相情報と、ランプ交換検出メモリに格納されている位相情報とに基づいて高輝度放電ランプの交換がなされたか否かを判別することができる。
【発明を実施するための最良の形態】
【０００６】
（第１の実施の形態）
以下、本発明のプロジェクタの実施の形態について図面を参照して説明する。
図１は第１の実施の形態のプロジェクタの構成を示すブロック図、図２は制御部２０を構成するマイクロコンピュータ２０Ａの構成を示すブロック図、図３（Ａ）はＨＩＤランプ１２の側面図、（Ｂ）はランプ用ハウジング１６の説明図、（Ｃ）はコード部３４の説明図である。
図１に示すように、プロジェクタ１０は、ＨＩＤランプ１２、ランプ装着部１４、ランプ用ハウジング１６（図３（Ｂ）参照）、ランプ用電源部１８、制御部２０、制御部用電源部２２、カラー液晶パネル２４、ダイアフラム（絞り）２６、集光レンズ２８、ファン３２、コード部３４、読み取り部４２などを含んで構成されている。
【０００７】
図３（Ａ）に示すように、ＨＩＤランプ１２は電源が供給されることで点灯し光を発生するものであり、電源が供給されることで発光する発光管１２０２と、発光管１２０２を収容する透明な材料で形成された外球１２０４とを含んで構成されている。
発光管１２０２を構成する材料としては例えば石英が採用され、外球１２０４を構成する材料としては例えば硬質ガラスが採用される。
外球１２０４の内面のうち、前方を除く側面の一部あるいは全域には、発光管１２０２で発光された光を反射する反射膜１２０６が形成され、反射膜１２０６で反射された光は反射膜１２０６が形成されていない外球１２０４の部分から外球１２０４の外方に向けてすなわち、所定方向に導かれる。
反射膜１２０６を構成する材料としては例えばアルミ蒸着膜が採用される。
また、発光管１２０２で発光された光の大部分は反射膜１２０６によって前記所定方向に向けて反射されるが、光の一部は、反射膜１２０６を透過して外球１２０４の外方に照射される。前記一部の光は、可視光および赤外線光（熱線）を含んでいる。
【０００８】
外球１２０４には、その外球１２０４から外方に出射される光によって読み取り可能に形成されＨＩＤランプ１２に関わるランプ情報を形成するコード部３４が設けられている。
本実施の形態では、反射膜１２０６を透過した光がコード部３４に導かれるようにコード部３４は反射膜１２０６に臨む外球１２０４の外面の箇所に設けられている。
本実施の形態では、コード部３４は、外球１２０４を通過して外方に出射される光を透過する第１部分３４Ａと、光を透過しない第２部分３４Ｂとの組み合わせによってランプ情報を形成している。
詳細に説明すると、外球１２０４の外面に、光を透過しない材料で形成されたフィルム体３６が貼付されている。フィルム体３６を構成する材料としては例えば合成樹脂が採用可能である。
フィルム体３６は、開口３８で形成され光が通過する光通過部分４０Ａと、開口３８部分を除く部分で形成され光が透過しない光非通過部分４０Ｂとを有しており、本実施の形態では、第１部分３４Ａは光通過部分４０Ａで形成され、第２部分３４Ｂは光非通過部分４０Ｂで形成されている。
すなわち、図３（Ｃ）に示すように、１つの光通過部分４０Ａが２進数の「０」（あるいは「１」）を示し、１つの光非通過部分４０Ｂによって２進数の「１」（あるいは「０」）を示す。
したがって、光通過部分４０および光非通過部分４０ＢをＮ個並べることによってＮビットのランプ情報を形成することができる。
本実施の形態では、前記ランプ情報は７ビットによって形成され、ランプ情報は、ＨＩＤランプ１２が工場で製造された時期あるいは工場から出荷された時期を示す情報であり、具体的には基準となるある年のある月（例えば２０００年１月）を基準月として、経過した月数で示す。
したがって、図３（Ｃ）に示すように、７ビットのデータを用いればランプ情報は次のように示される。
ランプ情報が「０００００００」（１０進数で０）であれば、２０００年１月（基準月）。
ランプ情報が「００１０１１１」（１０進数で２３）であれば、基準月から２３ヶ月が経過していることになるから、ランプ情報が２００１年１２月。
ランプ情報が「１１１１１１１」（１０進数で１２７）であれば、基準月から１２７ヶ月が経過していることになるから、ランプ情報が２０１０年７月。
なお、ランプ情報の形態は任意であり、例えば、西暦の年数と実際の月とを表してもよいし、ビット数を増やして年月に加えて日（１日から３１日）を含めてもよい。
【０００９】
ランプ装着部１４はＨＩＤランプ１２が着脱可能に装着されるものである。
本実施の形態では、ランプ装着部１４は、ＨＩＤランプ１２の後端に設けられた口金（ランプ側の電極（不図示））に接続される装着部側電極（不図示）を備え、ランプ用電源部１８から供給される電源をＨＩＤランプ１２に供給するように構成されている。
【００１０】
図３（Ｂ）に示すように、ランプ用ハウジング１６はＨＩＤランプ１２を収容するものである。
本実施の形態では、ランプ用ハウジング１６は、ランプ装着部１４が設けられＨＩＤランプ１２の後方に臨む矩形板状の後壁１６０２と、後壁１６０２の４辺から起立されＨＩＤランプ１２の外周を囲む矩形板状の４つの側壁１６０４とを備え、４つの側壁１６０４の前縁によってＨＩＤランプ１２の前方を開放する矩形状の開口１６０６が形成されている。
【００１１】
読み取り部４２は、前記ランプ情報を読み取り該ランプ情報を制御部２０に供給するものである。
本実施の形態では、読み取り部４２は、ＨＩＤランプ１２がランプ用ハウジング１６に収容された状態で、ＨＩＤランプ１２の外球１２０４に設けられたコード部３４に臨む側壁１６０４の箇所に設けられている。
読み取り部４２は、コード部３４のビット数に対応した数（本実施の形態では７個）の、言い換えると、コード部３４を形成する光通過部分４０および光非通過部分４０Ｂを読み取るに足る数の受光素子４２０２を有し、各受光素子３６０２からの検出信号をランプ情報として制御部２０に供給するように構成されている。
【００１２】
ランプ用電源部１８はＨＩＤランプ１２を安定に点灯させるものである。
本実施の形態では、ランプ用電源部１８は、コンセント１９を介して商用電源に接続され制御部２０によってオン、オフ制御される直流電源部１８Ａと、直流電源部１８Ａから供給される直流電力をＨＩＤランプ１２の点灯に必要な周波数の交流電力に変換する電力変換部１８Ｂと、電力変換部１８Ｂから供給される交流電力から高電圧を生成してＨＩＤランプ１２に供給し該ＨＩＤランプ１２を点弧させる高電圧発生部１８Ｃと、ＨＩＤランプ１２を点灯制御するとともに制御部２０との間で通信を行うマイクロコンピュータ１８Ｄと、ＨＩＤランプ１２が高電圧発生部１８Ｃからの高圧電圧により点弧されたことを検出しその旨をマイクロコンピュータ１８Ｄに報知する点弧検出回路１８Ｅなどを備えている。
【００１３】
制御部２０は、後述するマイクロコンピュータ２０Ａを含んで構成され、外部から供給される画像情報（画像信号）に基づいて例えば透過型のカラー液晶パネル２４（特許請求の範囲の画像形成部に相当）に駆動信号を供給することでカラー液晶パネル２４によってカラー画像を生成するとともに、ダイアフラム（絞り）２６の制御を行う。
また、制御部２０は、電源投入指令を直流電源部１８Ａに与えて駆動させるとともに、マイクロコンピュータ１８Ｄを介して電力変換部１８Ｂを駆動させる。これにより、電力変換部１８Ｂの出力電圧をＨＩＤランプ１２に供給するとともに高電圧発生部１８Ｃから高電圧のパルスを発生させ、この高圧パルスをＨＩＤランプ１２に印加することによりＨＩＤランプ１２を点弧し、点灯させる。
なお、制御部２０はマイクロコンピュータ１８Ｄとの間で双方向に通信を行うことでＨＩＤランプ１２の点灯状態を監視したり、ＨＩＤランプ１２に供給される電力の切り換えを行ったりするなどの種々の制御を行うものであるが、制御の詳細は本発明の要旨に関連しないため説明を割愛する。
また、マイクロコンピュータ２０Ａは電源スイッチ２３のオン、オフ操作に応じて制御部用電源部２２をオン、オフ制御する。
【００１４】
制御部用電源部２２は、コンセント１９を介して商用電源に接続され、制御部２０に対する電源を供給するものであり、オフ状態においてはマイクロコンピュータ２０Ａをスタンバイ状態で動作させるに足る電力を供給するように構成されている。
【００１５】
カラー液晶パネル２４、ダイアフラム２６、集光レンズ２８、スクリーン３０は、この順番でＨＩＤランプ１２の前方に直線状に並んで配置されている。
ＨＩＤランプ１２から出射される光はカラー液晶パネル２４を照射し、このカラー液晶パネル２４の三原色からなる画像はダイアフラム２６、集光レンズ２８を介してスクリーン３０に投影され、カラー画像がスクリーン３０上に映し出される。言い換えると、ＨＩＤランプ１２から出射された光がカラー液晶パネル２４を介してスクリーン３０に照射されることでカラー画像がスクリーン３０上に投射される。
ファン３２は直流電源部１８Ａから取り出される電力により駆動され、ＨＩＤランプ１２やカラー液晶パネル２４で発生した熱を冷却するものである。
【００１６】
次にマイクロコンピュータ２０Ａについて詳細に説明する。
図２に示すように、マイクロコンピュータ２０Ａは、ＣＰＵ４４、ＣＰＵ４４が実行する制御プログラムなどが格納されたＲＯＭ４６、ワーキングエリアを提供するＲＡＭ４８、マイクロコンピュータ１８Ｄとの間で通信を行う通信インターフェース５０、読み取り部４２から供給されるランプ情報を受け取るインターフェース５２、制御部２０（マイクロコンピュータ２０Ａ）に対する電源供給がなされている間、計時動作を行うカウンタ５４、書き換え可能で制御部２０（マイクロコンピュータ２０Ａ）に対する電源供給が停止されてもデータを保持するＥＥＰＲＯＭ（フラッシュメモリ）などからなる不揮発性のメモリ部５６、電源スイッチ２３のオン、オフ信号を受け付けるとともにオン、オフの指令を制御部用電源部２２に与えるインタフェース５３などを含んで構成されている。
メモリ部５６には、カウンタ５４の計時データがＣＰＵ４４により加算されることでＨＩＤランプ１２が点灯している累積時間であるランプ使用時間（通電時間）を示すランプ使用時間データが格納される時間カウンタメモリ５８と、読み取り部４２から供給されたランプ情報がＣＰＵ４４により格納されるランプ交換検出メモリ６０（特許請求の範囲の記憶部に相当）が設けられている。
なお、本実施の形態においては、ＣＰＵ４４、カウンタ５４、時間カウンタメモリ５８によって特許請求の範囲の計測部が構成されている。
【００１７】
次に図４のフローチャートを参照して制御部２０の動作を説明する。
電源スイッチ２３がオフされている状態では制御部用電源部２２はオフ状態であるが、ＣＰＵ４４がスタンバイ動作を実行する足る電力の供給を行っており、したがって、制御部２０はスタンバイモードとなっている（ステップＳ１０、Ｓ１２）。
電源スイッチ２３がオンされると（ステップＳ１２で“Ｙ”）、ＣＰＵ４４は、制御部用電源部２２をオンさせて制御部２０に電源を供給させる。これにより、ＣＰＵ４４はスタンバイモードから起動し、直流電源部１８Ａをオンさせるとともに、マイクロコンピュータ１８ＤにＨＩＤランプ１２の点灯を指令し、これによりランプ用電源部１８からＨＩＤランプ１２に電源が供給され点弧が実行される（ステップＳ１４、Ｓ１６）。
次に、点弧検出回路１８ＥによってＨＩＤランプ１２の点灯（点弧）の有無が検出され、その検出結果がマイクロコンピュータ１８ＤからＣＰＵ４４に送信される（ステップＳ１８）。
ＣＰＵ４４は、ＨＩＤランプ１２の不点灯が検出された場合には、点灯がなされていない旨を警告する点灯エラー処理を実行し（ステップＳ２０）、ステップＳ１０に戻る。点灯エラー処理は例えば不図示の警告表示ランプを点灯させることなどによってなされる。
ＣＰＵ４４は、ＨＩＤランプ１２の点灯が検出された場合には、ランプ交換検出メモリ６０に格納されているランプ情報を読み出すとともに、読み出し部４２からランプ情報を読み出して判別動作を行う（ステップＳ２２）。
ＣＰＵ４４は、ステップＳ２２において、ランプ交換検出メモリ６０にランプ情報が存在しなければ（初期値がなければ）、読み出し部４２から読み出されたランプ情報をランプ交換検出メモリ６０に書き込み（ステップＳ２４）、カウンタ５４による計時動作を開始させる（ステップＳ２６）。
また、ＣＰＵ４４は、ステップＳ２２において、ランプ交換検出メモリ６０にランプ情報が存在すれば、そのランプ情報と読み出し部４２から読み出されたランプ情報とを比較し、２つのランプ情報が一致すればＨＩＤランプ１２が交換されていないと判断し、カウンタ５４による計時動作を開始させる。（ステップＳ２６）。
また、ステップＳ２２において２つのランプ情報が不一致であれば、ＨＩＤランプ１２が交換されたものと判断し、時間カウンタメモリ５８をリセットするとともに、ランプ交換検出メモリ６０に格納されていたランプ情報に代えて読み出し部４２から読み出されたランプ情報をランプ交換検出メモリ６０に新たに格納する（ステップＳ２８）。すなわち、ランプ交換検出メモリ６０に格納されていたランプ情報に対して読み出し部４２から読み出されたランプ情報を上書きする。そして、カウンタ５４による計時動作を開始させる（ステップＳ２６）。
ステップＳ２６によってカウンタ５４の計時動作が開始されると、ＣＰＵ４４はカウンタ５４の計時データをランプ交換検出メモリ６０に加算し、これによりランプ使用時間データが更新される（ステップＳ３０）。
そして、ＣＰＵ４４は、ランプ交換検出メモリ６０のランプ使用時間データが予め定められているＨＩＤランプ１２の交換時間に到達したか否かを判定する（ステップＳ３２）。
ランプ使用時間が交換時間に到達したならば、ＣＰＵ４４は、ＨＩＤランプ１２の交換を使用者に促す警告情報を画像情報として液晶パネル２４に供給する（ステップＳ３４）。これにより、前記警告情報がスクリーン３０上に画像として表示される。警告情報は、例えば、交換を促す文字、記号、マークなどの何れか１つあるいは２つ以上の組み合わせによって構成される。
ランプ使用時間が交換時間に到達していなければ、ＣＰＵ４４は、電源スイッチ２３がオフされたか否かを検出し（ステップＳ３６）、オン状態であればステップＳ２６に移行して同様のステップを繰り返して実行する。
オフ状態であれば、直流電源部１８Ａをオフさせることでランプ用電源部１８からＨＩＤランプ１２への電源供給を停止させＨＩＤランプ１２を滅灯させる（ステップＳ３８）。
そして、ＣＰＵ４４は、カウンタ５４による計時動作を停止させると同時に、カウンタ５４の計時データをランプ交換検出メモリ６０に加算する（ステップＳ４０）。
次いで、ＣＰＵ４４は、制御部用電源部２２をオフさせスタンバイモードに移行する（ステップＳ４２）。
【００１８】
以上説明したように本実施の形態のプロジェクタ１０によれば、制御部２０は、ランプ装着部１４および制御部２０に対する電源の供給が停止された状態から、ランプ装着部１４および制御部２０に電源が供給されると、読み取り部４２から供給されたランプ情報と、ランプ交換検出メモリ６０に格納されているランプ情報とに基づいてＨＩＤランプ１２の交換がなされたか否かを判別することができる。
したがって、ＨＩＤランプ１２および制御部２０に供給される電源を停止した状態でＨＩＤランプ１２の交換を行った後、ＨＩＤランプ１２および制御部２０に電源を供給すると、手作業を必要とすること無くＨＩＤランプ１２の交換がなされたことが判別され、したがって、ＨＩＤランプ１２のランプ使用時間を確実にリセットすることができるため、ＨＩＤランプ１２のランプ使用時間を常に正しく計測することができ有利である。また、手作業が不要であるため、ＨＩＤランプ１２を交換する際のユーザーや作業者の負担が少なく、また、ランプ使用時間のリセット操作を失念することによるトラブルを回避できるため、プロジェクタ１０の使い勝手を高める上で有利となる。
また、ＨＩＤランプ１２の外球１２０４から外方に出射される光によって読み取り可能なコード部３４を設けたので、コード部３４からランプ情報を読み取る際に他の光源が不要であり、また、読み取り部４２は安価な受光素子を用いることで実現できるので、コストを抑制する上で有利となる。
また、本実施の形態では、コード部３４を、光を透過する第１部分３４Ａと光を透過しない第２部分３４Ｂとで構成したので、コード部３４の構成が簡素であり、コード部３４を作成するために要するコストを抑制する上で有利となる。
なお、コード部３４は、ＨＩＤランプ１２の外球１２０４から外方に出射される光によって読み取り可能なものであればよく、従来公知の様々な光学的に読み取り可能な１次元コード（バーコード）、あるいは、２次元コードなどを採用可能であるが、１次元コードや２次元コードを用いた場合には専用の読み取り装置（バーコードリーダ）が必要となることからコストを要する不利があるが、本実施の形態のようにコード部３４を、光を透過する第１部分３４Ａと光を透過しない第２部分３４Ｂとで構成した場合には読み取り部４２を安価に実現できるため有利である。
【００１９】
なお、本実施の形態では、前述したように、コード部３４を７ビットで構成しＨＩＤランプ１２の製造年月を１２７ヶ月分（１０年と７ヵ月分）判別できるようにした。
一方、プロジェクタ１０を一般的に使用する場合、ＨＩＤランプ１２の寿命は、２年乃至４年程度と考えられるため、コード部３４によって判別可能なＨＩＤランプ１２の製造年月の期間は十分に足りているが、コード部３４のビット数を増減することによりコード部３４によって判別可能なＨＩＤランプ１２の製造年月の期間を増減することが可能であることは無論である。
また、ランプ情報として製造年月を用いる場合、交換する前のＨＩＤランプ１２と交換した後のＨＩＤランプ１２との双方が同じ製造年月であると、ＨＩＤランプ１２のランプ使用時間のリセットが不能となるが、ＨＩＤランプ１２の寿命が２年乃至４年程度であることを考えると、交換前後でＨＩＤランプ１２の製造年月が同一となる確率はほぼ無視することができる。
また、ランプ情報として、製造年月に加えて日を加えてもよい。
また、本実施の形態では、製造年月を基準月から経過した月数で表す場合について説明したが、製造年月を年と月、すなわち、西暦（あるいは和暦）で表現される年と月とで表すようにしてもよい。
【００２０】
また、本実施の形態では、ランプ情報としてＨＩＤランプ１２の製造年月、あるいは、出荷年月を用いたが、ランプ情報はＨＩＤランプ１２を判別することができればよく、ランプ情報として、ＨＩＤランプ１２の製造番号やロット番号などを用いるようにしてもよい。
また、ランプ情報としてＨＩＤランプ１２の製造年月、あるいは、出荷年月の他に、ＨＩＤランプ１２の製造番号、ロット番号などＨＩＤランプ１２の品質を解析するために有用な種々の情報を加えてもよく、その場合には、ランプ交換検出メモリ６０に格納されているランプ情報を収集、解析することにより、ＨＩＤランプ１２の故障解析を行う上で有利となる。
また、本実施の形態では、時間カウンタメモリ５８にランプ使用時間を格納するようにしているので、ランプ使用時間を収集、解析することにより、ＨＩＤランプ１２の平均寿命や平均使用時間などを解析する上で有利となる。
【００２１】
（第２の実施の形態）
次に第２の実施の形態について説明する。
図５は第２の実施の形態のプロジェクタ１０のランプ用ハウジング１６部分の説明図、図６（Ａ）はＨＩＤランプ１２の交換を検出する構造の説明図、（Ｂ）は検出部８２の回路図、図７は第２の実施の形態のプロジェクタの構成を示すブロック図、図８は制御部２０を構成するマイクロコンピュータ２０Ａの構成を示すブロック図、図９は制御部２０の動作を示すフローチャートである。なお、以下の実施の形態では、第１の実施の形態と同様の部分、部材には同一の符号を付してその説明を省略する。
【００２２】
第１の実施の形態では読み取り部４２を用いてコード部３４から読み出したランプ情報に基づいてＨＩＤランプ１２の交換の有無を判別していたのに対して、第２の実施の形態では、ロッド７０や回転板７６などを用いてＨＩＤランプ１２の交換の有無を判別している。
図５に示すように、ランプ装着部１４は、ランプ用ハウジング１６の内部に設けられている。
ランプ用ハウジング１６には、ＨＩＤランプ１２がランプ装着部１４に挿脱される方向に沿って可動部材であるロッド７０が移動可能に支持されている。
ロッド７０は、ランプ装着部１４にＨＩＤランプ１２が装着されるとランプ用ハウジング１６の後壁１６０２（背面）から突出した第１の位置となり、ランプ装着部１４からＨＩＤランプ１２が外されると第１の位置よりもランプ装着部１４側に近づいた第２の位置となる。
ランプ用ハウジング１６には、ロッド７０を第２の位置に付勢するスプリング７２が設けられている。
そして、ロッド７０の先端には、カム片７４が揺動可能に設けられている。
回転板７６は、ランプ用ハウジング１６の背面の近傍の箇所に設けられている。
回転板７６は、円板部７８と、円板部７８の外周の周方向に間隔をおいた箇所に突設された複数の突起８０を有している。
本実施の形態では、突起８０は円板部７８の周方向に等間隔をおいて５個設けられており、したがって、各突起８０は円板部７８の回転中心に対して７２度の間隔をおいて位置している。
円板部７８は、支軸７８０２により空転しないように所定の摩擦力をもって回転可能に支持されている。
そして、図６（Ａ）に示すように、ロッド７０が第２の位置から第１の位置に移動する際に、カム片７４が突起８０に係合し、突起８０を介して回転板７６を所定の角度回転させる。この状態で、この突起８０Ａの次にカム片７４が係合する突起８０Ｂは、カム片７４の移動軌跡上に位置する。なお、ロッド７０が第１の位置から第２の位置に移動する際には、カム片７４のカム部によりカム片７４が倒れ、突起８０を動かすことはない。
なお、本実施の形態では、可動部材としてロッド７０を用いた場合について説明したが、可動部材としてレバーなどを用いて回転板７６を回転させるようにしてもよく、可動部材により回転板７６を所定の角度回転させる構成には、従来公知の様々な機構が採用可能である。
【００２３】
図６（Ａ）に示すように、回転板７６の位相を検出する検出部８２が設けられている。
本実施の形態では、検出部８２は、回転板７６に設けられた４つの第１接片８４と、回転板７６の近傍に設けられた４つの第２接片８６および１つの共通接片８８とを含んで構成されている。
４つの第１接片８４は、５つの突起８０のうち、４つの突起８０に対応して周方向に７２度の間隔をおくとともに、回転板７６の回転中心からの半径方向の寸法が互いに異なる４つの箇所にそれぞれ設けられ、かつ、電気的に共通に接続されている。
４つの第２接片８６のそれぞれは、４つの第１接片８４のそれぞれに対応した前記半径方向の位置に設けられ、対応する第１接片８４および第２接片８６が電気的に接続できるように構成されている。
共通接片８８は４つの第１接片８４に常時電気的に接続されている。
したがって、図６（Ｂ）に示すように、検出部８２は、回転板７６がロッド７０の出没により７２度の単位で回転する毎に、共通接片８８を介して各第１接片８４に共通に与えられた信号が、４つの第２接片８６の何れか１つから出力される状態、あるいは、４つの第２接片８６の何れからも出力されない状態となる。
したがって、各第２接片８６の出力状態によって回転板７６の５つの位相が検出されることになる。
なお、回転板７６の位相を検出する検出部８２としては、例えば、操作摘みが所定角度分回転される毎に、複数ビットからなる異なるコードデータを出力するロータリーコードスイッチを用いるなど、従来公知の様々な機構が採用可能である。
【００２４】
図７、図８に示すように、第２の実施の形態のプロジェクタ１０は、コード部３４、読み取り部４２の代わりに、検出部８２が設けられている点以外は第１の実施の形態と同様である。
すなわち、検出部８２はマイクロコンピュータ２０Ａに接続されている。
また、メモリ部５６には、第１の実施の形態と同様にランプ使用時間データが格納される時間カウンタメモリ５８と、検出部８２から供給された位相情報がＣＰＵ４４により格納されるランプ交換検出メモリ６０（特許請求の範囲の記憶部に相当）が設けられている。
【００２５】
次に図９のフローチャートを参照して制御部２０の動作を説明する。
電源スイッチ２３がオフされている状態では制御部用電源部２２はオフ状態であるが、ＣＰＵ４４がスタンバイ動作を実行する足る電力の供給を行っており、したがって、制御部２０はスタンバイモードとなっている（ステップＳ１０、Ｓ１２）。
電源スイッチ２３がオンされると（ステップＳ１２で“Ｙ”）、ＣＰＵ４４は、制御部用電源部２２をオンさせて制御部２０に電源を供給させる。これにより、ＣＰＵ４４はスタンバイモードから起動し、直流電源部１８Ａをオンさせるとともに、マイクロコンピュータ１８ＤにＨＩＤランプ１２の点灯を指令し、これによりランプ用電源部１８からＨＩＤランプ１２に電源が供給され点弧が実行される（ステップＳ１４、Ｓ１６）。
次に、点弧検出回路１８ＥによってＨＩＤランプ１２の点灯（点弧）の有無が検出され、その検出結果がマイクロコンピュータ１８ＤからＣＰＵ４４に送信される（ステップＳ１８）。
ＣＰＵ４４は、ＨＩＤランプ１２の不点灯が検出された場合には、点灯がなされていない旨を警告する点灯エラー処理を実行し（ステップＳ２０）、ステップＳ１０に戻る。
ＣＰＵ４４は、ＨＩＤランプ１２の点灯が検出された場合には、ランプ交換検出メモリ６０に格納されている位相情報を読み出すとともに、検出部８２から位相情報を読み出して判別動作を行う（ステップＳ２２Ａ）。
ＣＰＵ４４は、ステップＳ２２Ａにおいて、ランプ交換検出メモリ６０に位相情報が存在しなければ（初期値がなければ）、検出部８２から読み出された位相情報をランプ交換検出メモリ６０に書き込み（ステップＳ２４Ａ）、カウンタ５４による計時動作を開始させる（ステップＳ２６）。
また、ＣＰＵ４４は、ステップＳ２２Ａにおいて、ランプ交換検出メモリ６０に位相情報が存在すれば、その位相情報と検出部８２から読み出された位相情報とを比較し、２つの位相情報が一致すればＨＩＤランプ１２が交換されていないと判断し、カウンタ５４による計時動作を開始させる。（ステップＳ２６Ａ）。
また、ステップＳ２２Ａにおいて２つの位相情報が不一致であれば、ＨＩＤランプ１２が交換されたものと判断し、時間カウンタメモリ５８をリセットするとともに、ランプ交換検出メモリ６０に格納されていた位相情報に代えて検出部８２から読み出された位相情報をランプ交換検出メモリ６０に新たに格納する（ステップＳ２８Ａ）。すなわち、ランプ交換検出メモリ６０に格納されていた位相情報に対して検出部８２から読み出された位相情報を上書きする。そして、カウンタ５４による計時動作を開始させる（ステップＳ２６Ａ）。
ステップＳ２６Ａによってカウンタ５４の計時動作が開始されると、ＣＰＵ４４はカウンタ５４の計時データをランプ交換検出メモリ６０に加算し、これによりランプ使用時間データが更新される（ステップＳ３０）。
そして、ＣＰＵ４４は、ランプ交換検出メモリ６０のランプ使用時間データが予め定められているＨＩＤランプ１２の交換時間に到達したか否かを判定する（ステップＳ３２）。
ランプ使用時間が交換時間に到達したならば、ＣＰＵ４４は、ＨＩＤランプ１２の交換を使用者に促す警告情報を画像情報として液晶パネル２４に供給する（ステップＳ３４）。これにより、前記警告情報がスクリーン３０上に画像として表示される。
ランプ使用時間が交換時間に到達していなければ、ＣＰＵ４４は、電源スイッチ２３がオフされたか否かを検出し（ステップＳ３６）、オン状態であればステップＳ２６に移行して同様のステップを繰り返して実行する。
オフ状態であれば、直流電源部１８Ａをオフさせることでランプ用電源部１８からＨＩＤランプ１２への電源供給を停止させＨＩＤランプ１２を滅灯させる（ステップＳ３８）。
そして、ＣＰＵ４４は、カウンタ５４による計時動作を停止させると同時に、カウンタ５４の計時データをランプ交換検出メモリ６０に加算する（ステップＳ４０）。
次いで、ＣＰＵ４４は、制御部用電源部２２をオフさせスタンバイモードに移行する（ステップＳ４２）。
【００２６】
以上説明したように第２の実施の形態のプロジェクタ１０によれば、制御部２０は、ランプ装着部１４および制御部２０に対する電源の供給が停止された状態から、ランプ装着部１４および制御部２０に電源が供給されると、読み取り部４２から供給された位相情報と、ランプ交換検出メモリ６０に格納されている位相情報とに基づいてＨＩＤランプ１２の交換がなされたか否かを判別することができる。
したがって、第１の実施の形態と同様に、ＨＩＤランプ１２および制御部２０に供給される電源を停止した状態でＨＩＤランプ１２の交換を行った後、ＨＩＤランプ１２および制御部２０に電源を供給すると、手作業を必要とすること無くＨＩＤランプ１２の交換がなされたことが判別され、したがって、ＨＩＤランプ１２のランプ使用時間を確実にリセットすることができるため、ＨＩＤランプ１２のランプ使用時間を常に正しく計測することができ有利である。また、手作業が不要であるため、ＨＩＤランプ１２を交換する際のユーザーや作業者の負担が少なく、また、ランプ使用時間のリセット操作を失念することによるトラブルを回避できるため、プロジェクタ１０の使い勝手を高める上で有利となる。
また、本実施の形態では、ＨＩＤランプ１２がランプ装着部１４に挿脱されることで第１の位置と第２の位置に移動する可動部材によって回転板７６を一定角度で回転させ、回転板７６の位相を検出部８２で検出することで位相情報を得るようにしたので、構成が簡素でありコストを抑制する上で有利となる。
【００２７】
なお、実施の形態では、プロジェクタ１０が該プロジェクタ１０の外部に設けられたスクリーン３０に画像を投射するものである場合について説明したが、本発明はスクリーンとプロジェクタが一体に組み込まれ、スクリーンの背面からプロジェクタにより画像をスクリーンに投射する、いわゆるプロジェクションテレビジョン装置などにも適用可能であることは無論である。
また、実施の形態では、プロジェクタの画像形成部が透過型のカラー液晶パネルで構成される場合について説明したが、画像形成部が反射型のカラー液晶パネルで構成されＨＩＤランプから出射された光が反射型のカラー液晶パネルで反射されることで画像が形成されるものであってもよいし、あるいは、画像形成部が可動マイクロミラーをマトリクス状に配置したマイクロミラー素子で構成されＨＩＤランプから出射された光がマイクロミラー素子で反射されることで画像が形成されるものであってもよく、従来公知の様々な構造の画像形成部が採用可能である。
また、実施の形態では、ランプ使用時間が交換時間に到達したならば、制御部２０がＨＩＤランプ１２の交換を使用者に促す警告情報を画像情報として液晶パネル２４に供給することで前記警告情報をスクリーン３０上に画像として表示させる場合について説明したが、プロジェクタ１０にＨＩＤランプ交換を促す警告ランプあるいはブザーなどの発音部を設けておき、制御部２０によって前記警告ランプを点灯させたり、発音部から警告音を発生させるなど警告動作は任意であり、要は、制御部２０によってＨＩＤランプ１２の交換を使用者に促す警告動作を行うようにすればよい。
また、実施の形態では、ランプ情報あるいは位相情報を格納する記憶部が不揮発性のメモリ部５６で構成されている場合について説明したが、記憶部は制御部２０に対する電源供給が停止された状態でランプ情報あるいは位相情報を保持するように構成されていればよいのであり、例えば、バッテリーでバックアップされるなど、従来公知の様々なメモリが採用可能である。
【図面の簡単な説明】
【００２８】
【図１】第１の実施の形態のプロジェクタの構成を示すブロック図である。
【図２】制御部２０を構成するマイクロコンピュータ２０Ａの構成を示すブロック図である。
【図３】（Ａ）はＨＩＤランプ１２の側面図、（Ｂ）はランプ用ハウジング１６の説明図、（Ｃ）はコード部３４の説明図である。
【図４】制御部２０の動作を示すフローチャートである。
【図５】第２の実施の形態のプロジェクタ１０のランプ用ハウジング１６部分の説明図である。
【図６】（Ａ）はＨＩＤランプ１２の交換を検出する構造の説明図、（Ｂ）は検出部８２の回路図である。
【図７】第２の実施の形態のプロジェクタの構成を示すブロック図である。
【図８】制御部２０を構成するマイクロコンピュータ２０Ａの構成を示すブロック図である。
【図９】制御部２０の動作を示すフローチャートである。
【符号の説明】
【００２９】
１０……プロジェクタ、１２……高輝度放電ランプ、１２０４……外球、１４……ランプ装着部、２０……制御部、３４……コード部、４２……読み取り部、６０……ランプ交換検出メモリ、７０……ロッド、７６……回転板、８２……検出部。
【図１】
2008046499.tif 000003
【図２】
2008046499.tif 000004
【図３】
2008046499.tif 000005
【図４】
2008046499.tif 000006
【図５】
2008046499.tif 000007
【図６】
2008046499.tif 000008
【図７】
2008046499.tif 000009
【図８】
2008046499.tif 000010
【図９】
2008046499.tif 000011